(57)【要約】      （修正有）【課題】主幹ケーブルと分岐ケーブルとの間に配置される充填部材の配置状況を容易に確認することができるケーブルの分岐構造、及びケーブルの分岐用保護キットを提供する。【解決手段】分岐構造は、主幹ケーブル１００Ａ，１００Ｂから分岐ケーブル１００Ｃが分岐する分岐部１０１を覆うシート１５と、主幹ケーブル１００Ｂと分岐ケーブル１００Ｃとの間に挟まれる充填部材２０と、を備えている。従って、充填部材２０が主幹ケーブル１００Ｂと分岐ケーブル１００Ｃとの間の防水性を確保しており、当該部分を覆うように、シート１５が分岐部１０１を覆っている。ここで、充填部材２０の色は、少なくともシート１５の色と異なる。従って、作業者は、外部から分岐部１０１を見ることで、どの部分がシート１５であって、どの部分が充填部材２０であるかを容易に識別することができる。【選択図】図２
2018181632.tif 000002
【特許請求の範囲】
【請求項１】
主幹ケーブルから分岐ケーブルが分岐するケーブルの分岐構造であって、
前記主幹ケーブルから前記分岐ケーブルが分岐する分岐部を覆うシートと、
前記主幹ケーブルと前記分岐ケーブルとの間に挟まれる充填部材と、を備え、
前記充填部材の色は、少なくとも前記シートの色と異なる、ケーブルの分岐構造。
【請求項２】
前記充填部材の色は、前記主幹ケーブル及び前記分岐ケーブルの少なくとも一方の色と異なる、請求項１に記載のケーブルの分岐構造。
【請求項３】
互いに異なる色において、標準色差は２０以上である、請求項１又は２に記載のケーブルの分岐構造。
【請求項４】
主幹ケーブルから分岐ケーブルが分岐する分岐部を保護するケーブルの分岐用保護キットであって、
前記分岐部を覆うためのシートと、
前記主幹ケーブルと前記分岐ケーブルとの間に挟むための充填部材と、を備え、
前記充填部材の色は、少なくとも前記シートの色と異なる、ケーブルの分岐用保護キット。
【請求項５】
施工前の前記充填部材は、互いに対向する一対の側面に、内側へ向かって窪む湾曲形状をそれぞれ有する、請求項４に記載のケーブルの分岐用保護キット。
【発明の詳細な説明】
【技術分野】
【０００１】
本発明は、ケーブルの分岐構造、及びケーブルの分岐用保護キットに関する。
【背景技術】
【０００２】
特許文献１には、主幹ケーブルから分岐ケーブルが分岐するケーブルの分岐構造が記載されている。この分岐構造は、主幹ケーブルから分岐ケーブルが分岐する分岐部をシートで覆っている。この分岐構造では、主幹ケーブルと分岐ケーブルとの間の防水性を確保するために、当該ケーブル間に充填部材を配置している。また、シートの縁部からは部分的に延びた短冊部が形成されており、当該短冊部を主幹ケーブルと分岐ケーブルとの間を覆うことにより、充填部材を外側から覆っている。
【先行技術文献】
【特許文献】
【０００３】
【特許文献１】実開平６−５０４６号公報
【発明の概要】
【発明が解決しようとする課題】
【０００４】
従来のケーブルの分岐構造では、主幹ケーブルと分岐ケーブルとの間に配置された充填部材が、短冊部で覆われている。従って、作業者は、充填部材が防水性を担保した状態で配置されているかどうかの配置状況を、外部から確認することができないという問題があった。また、短冊部を省略したとしても、充填部材の色とシートの色とが同一であるため、充填部材の配置状況を外部から確認することが難しかった。以上より、主幹ケーブルと分岐ケーブルとの間に配置される充填部材の配置状況を容易に確認することが要請されていた。
【課題を解決するための手段】
【０００５】
本発明の一形態に係るケーブルの分岐構造は、主幹ケーブルから分岐ケーブルが分岐するケーブルの分岐構造であって、主幹ケーブルから分岐ケーブルが分岐する分岐部を覆うシートと、主幹ケーブルと分岐ケーブルとの間に挟まれる充填部材と、を備え、充填部材の色は、少なくともシートの色と異なる。
【０００６】
このケーブルの分岐構造は、主幹ケーブルから分岐ケーブルが分岐する分岐部を覆うシートと、主幹ケーブルと分岐ケーブルとの間に挟まれる充填部材と、を備えている。従って、充填部材が主幹ケーブルと分岐ケーブルとの間の防水性を確保しており、当該部分を覆うように、シートが分岐部を覆っている。ここで、充填部材の色は、少なくともシートの色と異なる。従って、作業者は、外部から分岐部を見ることで、どの部分がシートであって、どの部分が充填部材であるかを容易に識別することができる。従って、作業者は、分岐部の外部から、充填部材がどのように配置されているかを確認することで、充填部材が防水性を確保できる態様で配置されているかを容易に確認できる。以上により、主幹ケーブルと分岐ケーブルとの間に配置される充填部材の配置状況を容易に確認できる。
【０００７】
充填部材の色は、主幹ケーブル及び分岐ケーブルの少なくとも一方の色と異なってよい。これによって、作業者は、外部から分岐部を見ることで、どの部分が主幹ケーブル及び分岐ケーブルであって、どの部分が充填部材であるかを容易に識別することができる。従って、主幹ケーブルと分岐ケーブルとの間に配置される充填部材の配置状況を更に容易に確認できる。
【０００８】
互いに異なる色において、標準色差は２０以上であってよい。これによって、作業者は、視認により、互いに異なる色を明確に認識することができ、充填部材と他の部材とを明確に区別することができる。
【０００９】
本発明の一形態に係るケーブルの分岐用保護キットは、主幹ケーブルから分岐ケーブルが分岐する分岐部を保護するケーブルの分岐用保護キットであって、分岐部を覆うためのシートと、主幹ケーブルと分岐ケーブルとの間に挟むための充填部材と、を備え、充填部材の色は、少なくともシートの色と異なる。
【００１０】
このケーブルの分岐用保護キットによれば、上述のケーブルの分岐構造と同様の作用・効果を得ることができる。
【００１１】
施工前の充填部材は、互いに対向する一対の側面に、内側へ向かって窪む湾曲形状をそれぞれ有してよい。これによって、主幹ケーブルの外周面と分岐ケーブルの外周面に対して各側面の湾曲形状が対応するように配置することで、充填部材を各ケーブルに沿った形状に変形させて防水性を確保し易くなる。
【発明の効果】
【００１２】
本発明によれば、主幹ケーブルと分岐ケーブルとの間に配置される充填部材の配置状況を容易に確認することができる。
【図面の簡単な説明】
【００１３】
【図１】図１は、本発明の実施形態に係るケーブルの分岐構造の外観を示す図である。
【図２】図２は、本発明の実施形態に係るケーブルの分岐構造の断面図である。
【図３】図３は、図２に示すＩＩＩ−ＩＩＩ線に沿った断面図である。
【図４】図４は、施工前のケーブルの分岐用保護キットを示す図である。
【図５】図５は、施工前の充填部材を示す図である。
【図６】図６は、充填部材の最適な分量を示すための図である。
【図７】図７は、基準色に対する対象色、及びその標準色差を示すグラフである。
【図８】図８は、基準色に対する対象色、及びその標準色差を示すグラフである。
【発明を実施するための形態】
【００１４】
本発明の実施形態について、図面を参照して説明する。なお、以下の実施形態では、定格６００Ｖの電力ケーブルを対象とした場合を一例として説明するが、対象とする電圧に応じてサイズや形状は変わり得る。本発明に係るケーブルの分岐構造は、対象となる電圧の大きさに限定されるものではない。
【００１５】
図１は、本発明の実施形態に係るケーブルの分岐構造の外観を示す図である。図２は、本発明の実施形態に係るケーブルの分岐構造の断面図である。図３は、図２に示すＩＩＩ−ＩＩＩ線に沿った断面図である。図４は、施工前のケーブルの分岐用保護キットを示す図である。図１に示すように、分岐構造１は、ケーブル１００の分岐部１０１（図２参照）を絶縁及び防水する。なお、本実施形態において「ケーブル」という語は、電線、電纜を含むものとして用いる。本実施形態では、ケーブル１００をＹ分岐接続する場合を例として説明する。分岐部１０１では、主幹ケーブル１００Ａに対して、主幹ケーブル１００Ｂ及び分岐ケーブル１００Ｃが接続されている。主幹ケーブル１００Ａの被覆除去部１０２Ａと、主幹ケーブル１００Ｂの被覆除去部１０２Ｂと、分岐ケーブル１００Ｃの被覆除去部１０２Ｃとが圧着具１０３で接続されることによって、分岐部１０１が形成される。なお、主幹ケーブル１００Ａと主幹ケーブル１００Ｂとは、互いに切断されたものであり、圧着具１０３によって、互いの切断部分を分岐ケーブル１００Ｃと共に接続するものであってよい。または、主幹ケーブル１００Ａと主幹ケーブル１００Ｂとが連続した１本のケーブルであってもよい。この場合、一本のケーブルの途中の被覆を除去することにより被覆除去部を形成し、当該被覆除去部に分岐ケーブル１００Ｃを接続することができる。なお、主幹ケーブル１００Ｂと分岐ケーブル１００Ｃとは、結束バンドＢＤで結束されてよい。
【００１６】
分岐構造１は、分岐部１０１を覆うシート１５と、主幹ケーブル１００Ｂと分岐ケーブル１００Ｃとの間に挟まれる充填部材２０と、を備える。シート１５は、分岐部１０１を覆うためのシール材２と、分岐部１０１をシール材２を介して覆うための（すなわち、シール材２を更に外側から覆う）保護シート３と、を備えている。分岐部１０１は、少なくとも電線が露出している被覆除去部１０２Ａ，１０２Ｂ，１０２Ｃ及び圧着具１０３の部分の全てがシール材２で覆われ、当該分岐部１０１を覆うシール材２が完全に保護シート３で覆われる（図２参照）。ケーブル１００の分岐用保護キット１５０は、施工前のシート１５と、施工前の充填部材２０と、を備える。
【００１７】
保護シート３は、耐水性、絶縁性に優れた材料からなるシートである。保護シート３の材料として、例えば、ポリエチレン、ＰＶＣ（ポリ塩化ビニル）、ＥＰＤＭ、シリコーンゴムなどを適用することができる。保護シート３の厚さは、例えば１ｍｍ程度に設定できるが、覆った中身のものを保護できる厚さであれば特に限定されず、あらゆる寸法に設定可能である。
【００１８】
シール材２は、耐水性、絶縁性に優れた材料からなるシートである。シール材２の材料として、例えば、ブチルゴム、シリコーンゴム、ＥＰＤＭ、ＮＢＲなどを含有する絶縁性のパテなどを適用することができる。
【００１９】
施工前のシール材２は、施工前の保護シート３と略同形状を有している。本実施形態では、施工前のシール材２及び保護シート３は、略矩形状をなしている（図４参照）。シール材２の厚さは、特に限定されないが、例えば、２ｍｍ以上、３ｍｍ以上、４ｍｍ以上、または５ｍｍ以上、かつ８ｍｍ以下、１０ｍｍ以下、または１２ｍｍ以下とすることができる。また、シール材２の主面うち、分岐部１０１との接触部分に対応する箇所には、ＰＥＴ、ポリエチレン、ポリエステルなどで構成されたフィルム４が配置されている。施工後のシール材２は、分岐部１０１を全周にわたって覆うように当該分岐部１０１に巻き付けられる。また、施工後の保護シート３は、シール材２を外側から全周にわたって覆っている。なお、シート１５を分岐部１０１に巻き付けることで、シート１５には巻き付け代が発生するが、図３では省略している。
【００２０】
充填部材２０は、主幹ケーブル１００Ｂと分岐ケーブル１００Ｃとの間に挟まれて、主幹ケーブル１００Ｂ、分岐ケーブル１００Ｃ及びシール材２と密着することによって、シート１５の巻き付け後の分岐部１０１のシール性を確保する部材である。充填部材２０の材料として、例えば、ブチルゴム、シリコーンゴム、ＥＰＤＭ、ＮＢＲなどを含有する絶縁性のパテなどを適用することができる。充填部材２０は、主幹ケーブル１００Ｂ及び分岐ケーブル１００Ｃの延在方向に沿って、所定の長さを有しており、シート１５で覆われる箇所の少なくとも一部に配置される。図３に示すように、充填部材２０は、主幹ケーブル１００Ｂの外周面１００Ｂａのうち、少なくとも分岐ケーブル１００Ｃと対向する部分と密着する。充填部材２０は、分岐ケーブル１００Ｃの外周面１００Ｃａのうち、少なくとも主幹ケーブル１００Ｂと対向する部分と密着する。
【００２１】
施工前の充填部材２０は、略四角柱状の形状を有している。図５に示すように、施工前の充填部材２０は、互いに対向する一対の側面２０ａ，２０ｂと、互いに対向する一対の側面２０ｃ，２０ｄと、を有する。施工前の充填部材２０は、一対の側面２０ａ，２０ｂに、内側へ向かって窪む湾曲形状２１ａ，２１ｂをそれぞれ有する。充填部材２０の施工時において、湾曲形状２１ａ，２１ｂは、主幹ケーブル１００Ｂの外周面１００Ｂａ、及び分岐ケーブル１００Ｃの外周面１００Ｃａの何れかと接触する。なお、施工前の充填部材２０の表面には、架橋構造を有する薄い膜が形成されていてよい。これにより、分岐用保護キット１５０の状態における充填部材２０の形状が維持される。なお、施工前の充填部材２０の形状は特に限定されず、施工が可能である限り、どのような形状であってもよい。例えば、側面２０ａ，２０ｂが上述の湾曲形状２１ａ，２１ｂを有さず、平面であってもよい。
【００２２】
以上のような分岐用保護キット１５０を用いて分岐部１０１を保護する場合、まず、主幹ケーブル１００Ｂと分岐ケーブル１００Ｃとの間に充填部材２０を配置する。このとき、各ケーブル１００Ｂ，１００Ｃの外周面１００Ｂａ，１００Ｃａに対して充填部材２０の湾曲形状２１ａ，２１ｂを接触させる。また、充填部材２０と各ケーブル１００Ｂ，１００Ｃとの間で隙間が発生しないように、充填部材２０を変形させて各ケーブル１００Ｂ，１００Ｃに挟み込む。その後、分岐部１０１を充填部材２０と共に覆うように、シート１５を巻き付ける。
【００２３】
次に、図６を参照して、施工した状態における充填部材２０の形状及び分量について説明する。図６に示すように、主幹ケーブル１００Ｂと分岐ケーブル１００Ｃとの間に基準線ＣＬ１，ＣＬ２を設定する。基準線ＣＬ１は、主幹ケーブル１００Ｂの外周面１００Ｂａの一端部と分岐ケーブル１００Ｃの外周面１００Ｃａの一端部の両方に対して接線をなしている。基準線ＣＬ２は、主幹ケーブル１００Ｂの外周面１００Ｂａの他端部と分岐ケーブル１００Ｃの外周面１００Ｃａの他端部の両方に対して接線をなしている。この場合、図６（ａ）に示すように、適量で配置された充填部材２０の側面２０ｅ，２０ｆは、基準線ＣＬ１，ＣＬ２よりも外側に配置されることが好ましい。一方、図６（ｂ）に示すように、充填部材２０の側面２０ｅ，２０ｆが、基準線ＣＬ１，ＣＬ２の内側まで入り込むと、充填部材２０の分量が不足する場合がある。この場合、分岐部１０１に対して巻き付けられたシール材２と充填部材２０との間に隙間ができる可能性がある。また、図６（ｃ）に示すように、充填部材２０の側面２０ｅ，２０ｆが基準線ＣＬ１，ＣＬ２に対して過剰にはみ出す場合は、充填部材２０の箇所にてシート１５を良好に巻き付けることが出来ない可能性がある。あるいは、過剰な充填部材２０の箇所に合わせてシート１５を大きくすることで、一本の主幹ケーブル１００Ａに巻き付けられる部分にてシート１５に皺が発生する可能性がある。
【００２４】
次に、充填部材２０の色について説明する。充填部材２０の色は、少なくともシート１５の色と異なる。本実施形態では、シート１５はシール材２と保護シート３を有しているが、充填部材２０の色は、当該充填部材２０と接触するシール材２の色と少なくとも異なっている。また、充填部材２０の色は、主幹ケーブル１００Ｂ及び分岐ケーブル１００Ｃの色（以降の説明では「ケーブル１００の色」と称する）と異なってよい。ケーブル１００の色とは、ケーブル１００の被覆部の色である。以上より、充填部材２０の色は、シート１５の色と異なり、且つ、ケーブル１００の色と異なっていてよい。このとき、シート１５の色とケーブル１００の色は同一であってもよく、異なっていてもよい。あるいは、充填部材２０の色は、シート１５の色と異なり、且つ、ケーブル１００の色と同じであってよい。なお、主幹ケーブル１００Ｂの色と分岐ケーブル１００Ｃの色は同一であってもよく、互いに異なっていてもよい。主幹ケーブル１００Ｂの色と分岐ケーブル１００Ｃの色とが互いに異なっている場合、一方のケーブル１００の色のみが充填部材２０と異なっていればよい。
【００２５】
なお、分岐構造１を図２に示す視認方向ＶＤから分岐部１０１を目視した場合に、視認できる箇所において、各構成要素の色が相違している必要がある。すなわち、少なくとも図３で示している箇所において、前述したような各構成要素の色の関係が成り立っている。
【００２６】
例えば、シート１５及びケーブル１００の色が黒色であるのに対して、充填部材２０の色を水色、赤色、グレー、青色、白色などにしてよい。このとき、充填部材２０の色に所定の意味を付与してもよい。例えば、充填部材２０が赤色である場合は、分岐構造１が耐火用の構造であることを示してよい。その他、充填部材２０を赤色、青色、白色とすることで、相識別（赤相・青相・白相）に用いてもよい。また、その他の例として、色の指定はないが、充填部材２０の色を電圧区分（１００Ｖや２００Ｖの区分）や交流・直流の区分に用いることもできる。
【００２７】
より詳細には、互いに異なる色において、標準色差は２０以上であることが好ましい。すなわち、充填部材２０の色とシート１５の色（及びケーブル１００の色）との標準色差が、２０以上であることが好ましい。標準色差が２０以上であれば、作業現場において、作業者が目視によって、部材間の色の違いを認識することができる。標準色差とはＬ＊ａ＊ｂ＊色空間におけるΔＥで示され、「ＪＩＳ−Ｚ−８７８１−４」の「式１９、２０」に基づく、以下の式（１）又は式（２）によって定義される。
ΔＥ＊ａｂ＝［（ΔＬ＊）２＋（Δａ＊）２＋（Δｂ＊）２］１／２  …（１）
ΔＥ＊ａｂ＝［（ΔＬ＊）２＋（ΔＣ＊ａｂ）２＋（ΔＨ＊ａｂ）２］１／２  …（２）
【００２８】
ここで、標準色差が２０以上であるものを「色が異なる」と定義するための方法について説明する。標準色差の測定は、「３ＭＴＭ  スコッチカルＴＭ  フィルムＪシリーズ不透過タイプ色見本」を使用して行った。測定者は、所定の基準色と対象色とを見比べ、対象色を「基準色と同じ色」と認識できるものと、「基準色と異なる色」と認識できるものと、に分類し、各対象色と基準色との標準色差を測定した。基準色として、「ブラック」、「スカイブルー」、「レッド」、「イエロー」、「ティーグリーン」を採用した。「ブラック」を基準色とした場合の対象色、及びその標準色差ΔＥを図７（ａ）に示す。「スカイブルー」を基準色とした場合の対象色、及びその標準色差ΔＥを図７（ｂ）に示す。「レッド」を基準色とした場合の対象色、及びその標準色差ΔＥを図７（ｃ）に示す。「イエロー」を基準色とした場合の対象色、及びその標準色差ΔＥを図８（ａ）に示す。「ティーグリーン」を基準色とした場合の対象色、及びその標準色差ΔＥを図８（ｂ）に示す。
【００２９】
測定時は、測定者は標準色差の数値を見る前に、２００ｌｕｘ以上の自然光または白色光源（たとえば事務用・家庭用の蛍光灯、白熱灯、ＬＥＤ照明など）環境において、色見本で「基準色と同じ色」と認識できる対象色を選択した。すなわち、選択されなかった対象色は「基準色と異なる色」に分類された。その後、各色の標準色差の数値を照らし合わせた。その結果、図７（ａ）〜図８（ｂ）に示す基準色のうち、いずれの色を基準色とした場合も、標準色差が２０以上となる対象色であれば、基準色と対象色とを「異なる色」として認識することができた。以上の結果より、図７（ａ）〜図８（ｂ）に示す色のうち、標準色差が２０以上である基準色と対象色の組み合わせを充填部材２０、シート１５、及びケーブル１００の色の組み合わせとして採用してよい。なお、基準色及び対象色の組み合わせのうち、一方を充填部材２０の色として採用し、他方をシート１５及びケーブル１００の色として採用してよい。
【００３０】
次に、本実施形態のケーブル１００の分岐構造１、及び分岐用保護キット１５０の作用・効果について説明する。
【００３１】
このケーブル１００の分岐構造１は、主幹ケーブル１００Ａ，１００Ｂから分岐ケーブル１００Ｃが分岐する分岐部１０１を覆うシート１５と、主幹ケーブル１００Ｂと分岐ケーブル１００Ｃとの間に挟まれる充填部材２０と、を備えている。従って、充填部材２０が主幹ケーブル１００Ｂと分岐ケーブル１００Ｃとの間の防水性を確保しており、当該部分を覆うように、シート１５が分岐部１０１を覆っている。ここで、充填部材２０の色は、少なくともシート１５の色と異なる。従って、作業者は、外部から分岐部１０１を見ることで、どの部分がシート１５であって、どの部分が充填部材２０であるかを容易に識別することができる。従って、作業者は、分岐部１０１の外部から、充填部材２０がどのように配置されているかを確認することで、充填部材２０が防水性を確保できる態様で配置されているかを容易に確認できる。以上により、主幹ケーブル１００Ｂと分岐ケーブル１００Ｃとの間に配置される充填部材２０の配置状況を容易に確認できる。なお、充填部材２０の配置状況とは、充填部材２０の配置の有無（すなわち、充填部材２０の配置忘れがないか否か）、充填部材２０の分量は適切か否か、充填部材２０が防水性を確保できるように他の部材と隙間無く配置されているか、などの状況である。
【００３２】
充填部材２０の色は、主幹ケーブル１００Ｂ及び分岐ケーブル１００Ｃの少なくとも一方の色と異なってよい。これによって、作業者は、外部から分岐部１０１を見ることで、どの部分が主幹ケーブル１００Ｂ及び分岐ケーブル１００Ｃであって、どの部分が充填部材２０であるかを容易に識別することができる。従って、主幹ケーブル１００Ｂと分岐ケーブル１００Ｃとの間に配置される充填部材２０の配置状況を更に容易に確認できる。
【００３３】
互いに異なる色において、標準色差が２０以上であってよい。これによって、作業者は、視認により、互いに異なる色を明確に認識することができる。
【００３４】
ケーブル１００の分岐用保護キット１５０は、主幹ケーブル１００Ｂから分岐ケーブル１００Ｃが分岐する分岐部１０１を保護するケーブル１００の分岐用保護キット１５０であって、分岐部１０１を覆うためのシート１５と、主幹ケーブル１００Ｂと分岐ケーブル１００Ｃとの間に挟むための充填部材２０と、を備え、充填部材２０の色は、少なくともシート１５の色と異なる。
【００３５】
このケーブル１００の分岐用保護キット１５０によれば、上述のケーブル１００の分岐構造１と同様の作用・効果を得ることができる。
【００３６】
施工前の充填部材２０は、互いに対向する一対の側面２０ａ，２０ｂに、内側へ向かって窪む湾曲形状２１ａ，２１ｂをそれぞれ有してよい。これによって、主幹ケーブル１００Ｂの外周面１００Ｂａと分岐ケーブル１００Ｃの外周面１００Ｃａに対して各側面２０ａ，２０ｂの湾曲形状２１ａ，２１ｂが対応するように配置することで、充填部材２０を各ケーブル１００Ｂ，１００Ｃに沿った形状に変形させて防水性を確保し易くなる。
【００３７】
本発明は、上述の実施形態に限定されるものではない。
【００３８】
例えば、上述の実施形態ではケーブルをＹ分岐接続する場合の分岐構造を例にして説明したが、Ｘ分岐接続に係るケーブルに対して本発明の分岐構造を採用してもよい。
【符号の説明】
【００３９】
１…分岐構造、１５…シート、２０…充填部材、１００…ケーブル、１００Ａ，１００Ｂ…主幹ケーブル、１００Ｃ…分岐ケーブル、１０１…分岐部、１５０…分岐用保護キット。
【図１】
2018181632.tif 000003
【図２】
2018181632.tif 000004
【図３】
2018181632.tif 000005
【図４】
2018181632.tif 000006
【図５】
2018181632.tif 000007
【図６】
2018181632.tif 000008
【図７】
2018181632.tif 000009
【図８】
2018181632.tif 000010